【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
ネットワークを介して相互に接続可能な少なくとも第１および第２の移動通信端末を備えるネットワークシステムであって、
前記第１の移動通信端末は、
前記第１の移動通信端末の現在位置を示す第１の現在位置情報を取得する第１の位置情報取得部と、
前記第２の移動通信端末を特定するための第２の識別情報を予め格納する第１の記憶部と、
目的地を示す目的地情報の入力を受け付ける第１の操作部と、
前記第２の識別情報に基づいて、前記第１の現在位置情報と前記目的地情報とを前記ネットワークを介して前記第２の移動通信端末へ送信する第１の送受信部とを含み、
前記第２の移動通信端末は、
前記第２の移動通信端末の現在位置を示す第２の現在位置情報を取得する第２の位置情報取得部と、
第２の表示部と、
地図情報を予め格納する第２の記憶部と、
前記第２の現在位置情報と前記目的地情報とに基づき、前記第２の表示部に前記地図情報の一部に対応する第２の地図を表示するとともに、
前記第１および第２の現在位置情報と前記目的地情報とに基づき、前記第２の表示部に前記第１および第２の移動通信端末の現在位置と前記目的地とを前記第２の地図上に表示させる第２の制御部とを含む、ネットワークシステム。
【請求項２】
前記第２の記憶部は、前記第１の移動通信端末を特定するための第１の識別情報を予めさらに格納し、
前記第２の移動通信端末は、
前記第１の識別情報に基づいて、前記第２の現在位置情報を前記ネットワークを介して前記第１の移動通信端末へ送信する第２の送受信部をさらに含み、
前記第１の記憶部は、地図情報を予めさらに格納し、
前記第１の移動通信端末は、
第１の表示部と、
前記第１の現在位置情報と前記目的地情報とに基づき、前記第１の表示部に前記地図情報の一部に対応する第１の地図を表示するとともに、
前記第１および第２の現在位置情報と前記目的地情報とに基づき、前記第１の表示部に前記第１および第２の移動通信端末の現在位置と前記目的地とを前記第１の地図上に表示させる第１の制御部とをさらに含む、請求項１に記載のネットワークシステム。
【請求項３】
前記第１の送受信部は、前記第１の表示部が表示している画像に関する情報を、前記第２の移動通信端末へ送信し、
前記第２の表示部は、前記第１の移動通信端末からの前記画像に関する情報に基づいて前記画像を表示する、請求項２に記載のネットワークシステム。
【請求項４】
前記第１の移動通信端末は、前記第１の表示部と前記第１の操作部とを含む第１のタッチパネルをさらに含み、
前記第１の送受信部は、前記第１のタッチパネルを介して入力された画像に関する情報を、前記第２の移動通信端末へ送信し、
前記第２の表示部は、前記第１の移動通信端末からの前記第１のタッチパネルを介して入力された画像に関する情報に基づいて前記画像を表示する、請求項２に記載のネットワークシステム。
【請求項５】
前記第１の移動通信端末とネットワークを介して相互に接続可能な第３の移動通信端末をさらに備え、
前記第１の記憶部は、前記第３の移動通信端末を特定するための第３の識別情報を予めさらに格納し、
前記第１の送受信部は、前記第３の識別情報に基づいて、前記第１の現在位置情報と前記目的地情報とを前記ネットワークを介して前記第３の移動通信端末へさらに送信し、
前記第３の移動通信端末は、
前記第３の移動通信端末の現在位置を示す第３の現在位置情報を取得する第３の位置情報取得部と、
第３の表示部と、
地図情報を予め格納する第３の記憶部と、
前記第３の現在位置情報と前記目的地情報とに基づき、前記第３の表示部に前記地図情報の一部に対応する第３の地図を表示するとともに、
前記第１から第３の現在位置情報と前記目的地情報とに基づき、前記第３の表示部に前記第１から第３の移動通信端末の現在位置と前記目的地とを前記第３の地図上に表示させる第３の制御部を含む、請求項１または２に記載のネットワークシステム。
【請求項６】
前記第１および第２の移動通信端末とネットワークを介して相互に接続可能な第３の移動通信端末をさらに備え、
前記第２の記憶部は、前記第３の移動通信端末を特定するための第３の識別情報を予め格納し、
前記第２の移動通信端末は、
前記第３の識別情報に基づいて、前記第１および第２の現在位置情報と前記目的地情報とを前記ネットワークを介して前記第３の移動通信端末へ送信する第２の送受信部をさらに含み、
前記第３の移動通信端末は、
前記第３の移動通信端末の現在位置を示す第３の現在位置情報を取得する第３の位置情報取得部と、
第３の表示部と、
地図情報と前記第１の移動通信端末を特定するための第１の識別情報とを予め格納する第３の記憶部と、
前記第３の現在位置情報と前記目的地情報とに基づき、前記第３の表示部に前記地図情報の一部に対応する第３の地図を表示するとともに、
前記第１から第３の現在位置情報と前記目的地情報とに基づいて、前記第３の表示部に前記第１から第３の移動通信端末の現在位置と前記目的地とを前記第３の地図上に表示させる第３の制御部と、
前記第１の識別情報に基づいて、前記第２および第３の現在位置情報を前記ネットワークを介して前記第１の移動通信端末へ送信する第３の送受信部とを含み、
前記第１の記憶部は、地図情報を予めさらに格納し、
前記第１の送受信部は、前記第２の識別情報に基づいて、前記第３の現在位置情報を前記ネットワークを介して前記第２の移動通信端末へさらに送信し、
前記第２の制御部は、前記第３の現在位置情報に基づき、前記第２の表示部に前記第３の移動通信端末の現在位置をさらに表示させ、
前記第１の移動通信端末は、
第１の表示部と、
前記第１の現在位置情報と前記目的地情報とに基づき、前記第１の表示部に前記地図情報の一部に対応する第１の地図を表示するとともに、
前記第１から第３の現在位置情報と前記目的地情報とに基づき、前記第１の表示部に前記第１から第３の移動通信端末の現在位置と前記目的地とを前記第１の地図上に表示させる第１の制御部とをさらに含む、請求項１に記載のネットワークシステム。
【請求項７】
前記第２の記憶部は、複数の形態にて表示可能な地図情報を格納し、
前記第２の制御部は、
前記第２の現在位置情報と前記目的地情報とに基づいて、前記現在位置から前記目的地までの距離を算出する算出部と、
前記距離に基づいて地図の表示形態を決定する決定部と、
前記第２の表示部に、前記決定部にて決定された表示形態にて前記第２の地図を表示させるとともに当該第２の地図上に各移動通信端末の前記現在位置と前記目的地とを表示させる表示制御部とを含む、請求項１から６のいずれか１項に記載のネットワークシステム。
【請求項８】
前記現在位置情報は、対応する移動通信端末の機種を含み、
前記決定部は、自身の機種と他の移動通信端末装置の機種とに基づいて、前記第２の地図の表示形態を決定する、請求項７に記載のネットワークシステム。
【請求項９】
前記第２の記憶部は、複数の形態にて表示可能な地図情報を格納し、
前記第２の制御部は、
前記第１および第２の現在位置情報と前記目的地情報とに基づいて、各前記移動通信端末の現在位置から前記目的地までのそれぞれの距離を算出する算出部と、
前記距離のうちの最も大きな距離に基づいて地図の表示形態を決定する決定部と、
前記第２の表示部に、前記決定部にて決定された表示形態にて前記第２の地図を表示させるとともに当該第２の地図上に各移動通信端末の前記現在位置と前記目的地とを表示させる表示制御部とを含む、請求項１から６のいずれか１項に記載のネットワークシステム。
【請求項１０】
前記目的地情報は、待ち合わせ時刻に関する情報を含み、
前記第１の操作部は、待ち合わせ時刻に関する情報をも含む入力を受け付ける、請求項１から９のいずれか１項に記載のネットワークシステム。
【請求項１１】
ネットワークを介して少なくとも１つの他の移動通信端末と相互に接続可能な移動通信端末であって、
表示部と、
前記移動通信端末の現在位置を示す第１の現在位置情報を取得する位置情報取得部と、
地図情報と前記他の移動通信端末を特定するための識別情報とを予め格納する記憶部と、
目的地を示す目的地情報の入力を受け付ける操作部と、
前記識別情報に基づいて前記第１の現在位置情報と前記目的地情報とを前記ネットワークを介して前記他の移動通信端末へ送信し、前記他の移動通信端末から前記他の移動通信端末の現在位置を示す第２の現在位置情報を受信する送受信部と、
前記第１の現在位置情報と前記目的地情報とに基づき、前記表示部に前記地図情報の一部に対応する地図を表示するとともに、
前記第１および第２の現在位置情報と前記目的地情報とに基づき、前記表示部に前記移動通信端末の現在位置と前記他の移動通信端末の現在位置と前記目的地とを前記地図上に表示させる制御部とを含む、移動通信端末。
【請求項１２】
前記記憶部は、複数の形態にて表示可能な地図情報を格納し、
前記制御部は、
前記第１の現在位置情報と前記目的地情報とに基づいて、前記現在位置から前記目的地までの距離を算出する算出部と、
前記距離に基づいて地図の表示形態を決定する決定部と、
前記表示部に、前記決定部にて決定された表示形態にて前記地図を表示させるとともに当該地図上に各前記移動通信端末の現在位置と前記目的地とを表示させる表示制御部とを含む、請求項１１に記載の移動通信端末。
【請求項１３】
前記第１の現在位置情報は、前記移動通信端末の機種を含み、
前記第２の現在位置情報は、前記他の移動通信端末の機種を含み、
前記決定部は、前記移動通信端末の機種と前記他の移動通信端末装置の機種とに基づいて、前記地図の表示形態を決定する、請求項１２に記載の移動通信端末。
【請求項１４】
前記記憶部は、複数の形態にて表示可能な地図情報を格納し、
前記制御部は、
前記第１および第２の現在位置情報と前記目的地情報とに基づいて、各前記移動通信端末の現在位置から前記目的地までのそれぞれの距離を算出する算出部と、
前記距離のうちの最も大きな距離に基づいて地図の表示形態を決定する決定部と、
前記表示部に、前記決定部にて決定された表示形態にて前記地図を表示させるとともに当該地図上に各前記移動通信端末の前記現在位置と前記目的地とを表示させる表示制御部とを含む、請求項１１に記載の移動通信端末。
【請求項１５】
前記送受信部は、前記表示部が表示している画像に関する情報を、前記他の移動通信端末へ送信し、
前記表示部は、前記他の移動通信端末からの画像に関する情報に基づいて前記画像を表示する、請求項１１に記載の移動通信端末。
【請求項１６】
前記目的地情報は、待ち合わせ時刻に関する情報をさらに含み、
前記操作部は、待ち合わせ時刻に関する情報をも含む入力を受け付ける、請求項１１から１５のいずれか１項に記載の移動通信端末。
【請求項１７】
ネットワークを介して少なくとも１つの他の移動通信端末と相互に接続可能な移動通信端末における通信方法であって、
前記移動通信端末は、
表示部と、
操作部と、
演算処理部と、
前記移動通信端末の現在位置を示す第１の現在位置情報を取得する位置情報取得部と、
地図情報と前記他の移動通信端末を特定するための識別情報とを予め格納する記憶部とを備え、
前記通信方法は、
目的地を示す目的地情報の入力を受け付けるステップと、
前記識別情報に基づいて前記第１の現在位置情報と前記目的地情報とを前記ネットワークを介して前記他の移動通信端末へ送信するステップと、
前記他の移動通信端末から前記他の移動通信端末の現在位置を示す第２の現在位置情報を受信するステップと、
前記第１の現在位置情報と前記目的地情報とに基づき、前記表示部に前記地図情報の一部に対応する地図を表示するとともに、
前記第１および第２の現在位置情報と前記目的地情報とに基づき、前記地図情報を参照して、前記表示部に前記移動通信端末の現在位置と前記他の移動通信端末の現在位置と前記目的地とを前記地図上に表示させるステップとを備える、通信方法。
【請求項１８】
前記記憶部は、複数の形態にて表示可能な地図情報を格納し、
前記現在位置と前記目的地とを表示させるステップは、
前記第１の現在位置情報と前記目的地情報とに基づいて、前記現在位置から前記目的地までの距離を算出するステップと、
前記距離に基づいて地図の表示形態を決定するステップと、
前記表示部に、前記決定するステップにて決定された表示形態にて前記地図を表示させるとともに当該地図上に各前記移動通信端末の現在位置と前記目的地とを表示させるステップとを含む、請求項１７に記載の通信方法。
【請求項１９】
前記第１の現在位置情報は、前記移動通信端末の機種を含み、
前記第２の現在位置情報は、前記他の移動通信端末の機種を含み、
前記決定するステップは、前記移動通信端末の機種と前記他の移動通信端末装置の機種とに基づいて、前記地図の表示形態を決定するステップを含む、請求項１８に記載の通信方法。
【請求項２０】
前記記憶部は、複数の形態にて表示可能な地図情報を格納し、
前記表示部に前記現在位置と目的地とを表示させるステップは、
前記第１および第２の現在位置情報と前記目的地情報とに基づいて、各前記移動通信端末の現在位置から前記目的地までのそれぞれの距離を算出するステップと、
前記距離のうちの最も大きな距離に基づいて地図の表示形態を決定するステップと、
前記表示部に、前記決定するステップにて決定された表示形態にて前記地図を表示させるとともに当該地図上に各前記移動通信端末の前記現在位置と前記目的地とを表示させるステップとを含む、請求項１７に記載の通信方法。
【手続補正２】
【補正対象書類名】明細書
【補正対象項目名】発明の名称
【補正方法】変更
【補正の内容】
【発明の名称】ネットワークシステム、移動通信端末、および通信方法